(57)【特許請求の範囲】
【請求項１】
複数の第２ランプ（２２）をその前面に有するケース（２）と、前記ケースの外面に取り付けられる電源スイッチ（２３）と、前記ケースの内部に取り付けられて電源を供給するバッテリーと、前記ケースの中心に形成されるガイド溝（２０）と、前記ケースの外面に形成される取付クリップ（２６）と、第１ランプ（２４）をその前面に有し、前記ガイド溝（２０）に連結するサブ本体（４）と、からなることを特徴とする帽子取付型発光具。
【請求項２】
前記第１ランプ（２４）のオン・オフ動作を制御するスイッチユニットをさらに具備することを特徴とする請求項１に記載の発光具。
【請求項３】
前記サブ本体（４）が前後移動するように、前記ガイド溝（２０）の側面に形成されるレール溝（２０２）に連結する突出部（４５）とともに前記サブ本体（４）をその外面に設けたことを特徴とする請求項２に記載の発光具。
【請求項４】
前記スイッチユニットは、前記レール溝（２０２）に取り付けられる第１接点（２０５）と、前記サブ本体（４）に形成される第２接点（２０６）と、を含むことを特徴とする請求項３に記載の発光具。
【請求項５】
前記サブ本体（４）がその側面に回転部を有して前記サブ本体の回転角度を調整することを特徴とする請求項１または２に記載の発光具。
【請求項６】
前記回転部が、前記サブ本体（４）の後側に形成される第１ギア（２７１）と、前記第１ギア（２７１）に係合する第２ギア（２７２）と、を含むことを特徴とする請求項５に記載の発光具。
【請求項７】
回転部の回転角度に応じて輝度を調整する輝度調整部材が前記回転部に設けられていることを特徴とする請求項５に記載の発光具。
【請求項８】
前記輝度調整部材が多接点構造を有することを特徴とする請求項７に記載の発光具。
【請求項９】
前記サブ本体（４）が補助バッテリーをさらに含むことを特徴とする請求項１に記載の発光具。
【請求項１０】
前記スイッチユニットが、前記バッテリーに電気的に接続される正端子と少なくとも１つの負端子と、前記サブ本体（４）に形成される負極板と少なくとも１つの正極板と、を含むことを特徴とする請求項２に記載の発光具。
【請求項１１】
前記サブ本体（４）に、前記サブ本体を前進状態に維持する固定部材（２７２０）がさらに設けられていることを特徴とする請求項１に記載の発光具。
【請求項１２】
前記固定部材（２７２０）が、前記第２ギア（２７２）の両側に形成される突出部材と、前記突出部材に対応して前記ガイド溝（２０）の両側前方部に形成される凹部（２０２４）と、を含むことを特徴とする請求項１１に記載の発光具。
【請求項１３】
前記回転部が、前記サブ本体（４）の後側に形成される溝と、前記溝に挿入される弾性突起（５０）と、を含むことを特徴とする請求項５に記載の発光具。
【請求項１４】
前記サブ本体（４）の後側に形成される溝が固定用溝（４０）と、第１溝（４１）と、第２溝（４２）と、第３溝（４３）と、を含むことを特徴とし、前記弾性突起（５０）が前記固定用溝（４０）及び前記第１〜第３溝（４１〜４３）に挿入されて前記サブ本体の位置を固定することを特徴とする請求項１３に記載の発光具。
【請求項１５】
前記第１溝（４１）が前記サブ本体（４）の後側の上部水平面に形成され、前記固定用溝（４０）が前記第１溝（４１）の前側に形成され、前記第２溝（４２）が前記サブ本体（４）の上部水平面と前記サブ本体の後方端部の湾曲面部との接続部に形成され、前記第３溝（４３）が前記サブ本体の後方端部の湾曲面部の中心に形成されることを特徴とする請求項１４に記載の発光具。
【請求項１６】
ケースの前側に形成され、第２ランプ（４２ａ）を備える固定照明部（５ａ）を有するケース（２ａ）と、前記ケース（２ａ）の外面に形成される電源スイッチ（２５ａ）と、前記ケース（２ａ）の後側に形成されて電源を供給する電源供給部と、前記ケース（２ａ）の外面に形成される取付クリップ（２６ａ）と、第１ランプ（４１ａ）が設けられ、前記固定照明部（５ａ）の側面に連結し、さらに、前後に移動して前記第１ランプ（４１ａ）をオンオフし、かつ回転されるサブ本体（４ａ）と、からなることを特徴とする発光具。
【請求項１７】
前記サブ本体（４ａ）が前記サブ本体（４ａ）の角度を調整できるように前記サブ本体（４ａ）の側面に形成される回転部を有し、
前記回転部が前記ケース（２ａ）内に形成されたガイド溝（３ａ）と、前記サブ本体（４ａ）の側面に形成され、前記サブ本体（４ａ）が回転されるように前記ガイド溝（３ａ）に連結される突出部（４０ａ）と、を含むことを特徴とする請求項１６に記載の発光具。
【請求項１８】
前記ガイド溝（３ａ）が、所定の長さを有する水平部（３０ａ）と、前記水平部（３０ａ）に接続し、円弧状に湾曲した湾曲状部（３６ａ）と、を含み、ここで、凹部（３５ａ）が前記水平部（３０ａ）の下部に形成されているので、前記突出部（４０ａ）は前記凹部（３５ａ）で係止されるようになっていることを特徴とする請求項１７に記載の発光具。
【請求項１９】
前記突出部（４０ａ）に接触する複数のスタッドが前記ガイド溝（３ａ）内に形成されているので、前記サブ本体（４ａ）を様々な角度位置で固定されるようになっていることを特徴とする請求項１８に記載の発光具。
【請求項２０】
前記スタッド（３１ａ）が第１〜第３スタッド（３１ａ〜３３ａ）を含み、前記第１スタッド（３１ａ）は前記水平部（３０ａ）に形成されて前記突出部（４０ａ）が凹部（３５ａ）から引き出された状態を維持し、次いで前記水平部（３０ａ）に沿って前方移動し、前記第２スタッド（３２ａ）は前記湾曲状部（３６ａ）の中間部に形成されて前記突出部（４０ａ）が下方に約４５度だけ回転する状態を維持し、前記第３スタッド（３３ａ）は、前記湾曲状部（３６ａ）の端部に形成されて前記突出部（４０ａ）が９０度だけ回転する状態を維持することを特徴とする請求項１９に記載の発光具。
【請求項２１】
前記サブ本体（４ａ）は輝度調整部材をさらに含み、前記サブ本体（４ａ）の回転角度に応じて輝度を調整することを特徴とする請求項１６に記載の発光具。
【請求項２２】
前記電源供給部が、前記ケース（２ａ）の内部後側に形成されるバッテリー収容部（２２ａ）と、前記バッテリー収容部（２２ａ）に連結し、前記バッテリー収容部（２２ａ）を完全に切り離すことなしにバッテリー（ｂ）を交換できるような方式で前記収容部（２２ａ）を開閉するカバー（２３ａ）と、を含むことを特徴とする請求項１６に記載の発光具。
【請求項２３】
前記バッテリー収容部（２２ａ）が、前記バッテリー収容部（２２ａ）の内側上部及び内側下部に形成され、前記バッテリー（ｂ）にそれぞれ接触する正と負の接触端子と、前記カバー（２３ａ）を前記バッテリー収容部（２２ａ）の両側に連結する接合スロット（２２１）と、を含むことを特徴とする請求項２２に記載の発光具。
【請求項２４】
前記ケース（２ａ）が前記バッテリー収容部（２２ａ）の前方端部との連通時に突出する半円形の隆起部分（２１ａ）を有し、先端突出部（２３３ａ）を有するリード部（２３２ａ）が所定の長さで前記カバー（２３ａ）の前方両端に形成され、半円形突出部（２３４ａ）が前記カバー（２３ａ）の前方中間部に形成され、前記隆起部分（２１ａ）に挿入され、前記カバー（２３ａ）の後方端部が上方に回転される場合、前記バッテリー（ｂ）を下降させるように、前記半円形突出部（２３４ａ）は下方に回転されることを特徴とする請求項２２に記載の発光具。
【発明の詳細な説明】
【技術分野】
【０００１】
本発明は帽子取付型発光具に関し、特には、発光具が帽子のひさしに着脱可能に取り付けられて使用者に視野を提供する発光具に関する。
【背景技術】
【０００２】
一般に帽子は、登山時や魚釣り時に使用者の顔を太陽光から保護したり、顔に流れる汗を防止するために着用される。
【０００３】
発光装置が前記帽子のひさしに取り付けられる場合には、両手が解放されるので、使用者の活動能力を向上させる。加えて、発光装置の照射方向が視線に一致するので、使用者は容易に視野を得ることもできる。
【０００４】
かかる利点を利用するために、本発明の出願人は、米国実用新案登録第７，１１８，２４１号及び第７，１６３，３０９号、及びカナダ特許第２，５３５，２９５号に対応する「帽子取付型発光具」と題する韓国実用新案登録第０３１２１５１号を出願した。
【０００５】
図１は従来の技術に係る発光具を表す図である。
【０００６】
図１に示すように、帽子取付型発光具は、本体を形成するケース２２と、前記ケース２２の前側に互いに間隔を置いて配置されて取り付けられる複数のランプ２４と、前記ケース２２の側面に取り付けられるスイッチ部材２６と、弾性を有するように前記ケース２２に一体的に連結するクリップ２８と、バッテリーに収容される前記ケース２２と、を含む。
【０００７】
しかしながら、前記従来の技術によれば、前記ケースの前側に取り付けられるランプが単一のスイッチ部材によって同時にオン・オフされることから、前記発光具には距離や光の照射量の調整、またはバッテリーの節約の観点から問題がある。
【０００８】
また、前記帽子取付型発光具をナップザックやポケットに入れて持ち運ぶ際に、使用者の意向にかかわらず、そのスイッチがオンになってしまうこともある。この場合、ランプは同時にオンになるので、バッテリーが使用者の意向に反して短時間で放電してしまう場合もある。
【０００９】
加えて、前記ランプはすべて前方向に固定的に方向付けられているので、使用者がその照射方向を変更する場合、使用者は頭部を所期の方向に向けなければならない。
【００１０】
さらに、近距離の照射には低照射量しか必要でなく、遠距離の照射には高照射を必要とするが、前記従来の発光具では、照射範囲に応じて照射光の光量を調整することができない。
【発明の概要】
【発明が解決しようとする課題】
【００１１】
本発明は従来技術で発生する上記問題点を解決するためになされたものであり、本発明の目的は、韓国実用新案登録第０３１２１５１号を改善した帽子取付型発光具を提供することにある。本発明の発光具によれば、複数のランプの一部を前後移動によって独立にオン・オフすることができ、個々のランプの角度を調整してランプ光の照射方向を上下方向に変えることができ、さらに、前記角度を調整することにより照射光の光量を変えることもでき、それによって使用者の利便性を確保する。
【００１２】
加えて、本発明の他の目的は、独立に調整される一部のランプが残りの他のランプの輝度よりも高い輝度を有するように設定できることから、使用者がバッテリーを節約しながら前記ランプを様々な組み合わせで利用することができる帽子取付型発光具を提供することにある。
【００１３】
本発明のまた他の目的は、電源スイッチが誤ってオンにされる場合でもバッテリーの偶発的な放電を防止するように追加スイッチユニットが提供されている帽子取付型発光具を提供することにある。
【００１４】
さらに、本発明の他の目的は、メインバッテリーの放電（充電）状態にかかわらず前記ランプが動作することができるように前記追加スイッチユニットを備える補助バッテリーが前記ランプに設けられている帽子取付型発光具を提供することにある。
【００１５】
さらに、本発明のまた他の目的は、独立に調整される一部のランプが直角に配置される際に光を前方向に照射するように前記発光具を使用者のシャツポケットに固定することができる帽子取付型発光具を提供することにある。
【課題を解決するための手段】
【００１６】
本発明の前述の態様乃至は他の態様は、複数の第２ランプをその前面に有するケースと、前記ケースの外面に取り付けられる電源スイッチと、前記ケースの内部に取り付けられて電源を供給するバッテリーと、前記ケースの中心に形成されるガイド溝と、前記ケースの外面に形成される取付クリップと、ランプをその前面に有し、前記ガイド溝に連結して前後移動または回転するサブ本体と、前記サブ本体の前方移動の時に前記ランプをオンにし、前記サブ本体の後方移動時にはランプをオフにすることができるスイッチユニットと、を含む発光具を提供することにより実現される。
【発明の効果】
【００１７】
上記のように、本発明によれば、前記第１ランプが独立にオンになるように、使用者は第１ランプを備えるサブ本体を前後に移動させることで照射光の距離と照射光の光量を調整することができる。加えて、使用者がその頭部を動かすことなしに前記照射角度を調整することができるように前記サブ本体は回転される。前記サブ本体がケースに対して直角に配置される場合、前記発光具をシャツポケットやベルトに固定して光を前方向に照射することができ、それによって使用者の利便性を確保する。
【００１８】
加えて、前記発光具は、前記光を救出信号として前方方向に点滅させたり、下方を照射して歩行者の足元を照らして安全歩行を支援するような、複雑な機能も提供する。
【００１９】
加えて、使用者がバッテリー消費量を調整できるように追加スイッチユニットが第１ランプに設けられている。
【図面の簡単な説明】
【００２０】
【図１】従来の技術に係る発光具を表す図である。
【図２】本発明の第１実施形態に係る帽子取付型発光具を表す斜視図である。
【図３】本発明の第１実施形態に係る帽子取付型発光具を表す平面図である。
【図４】本発明の第１実施形態に係る帽子取付型発光具を表す側面図である。
【図５】本発明の第２実施形態に係る帽子取付型発光具を表す分解斜視図である。
【図６】本発明の第２実施形態に適用したスイッチユニットを表す拡大図であって、サブ本体が後方移動する状態を表す。
【図７】本発明の第２実施形態に適用したスイッチユニットを表す拡大図であって、前記サブ本体が前方移動する状態を表す。
【図８】本発明の第２実施形態に適用したスイッチユニットを表す拡大図であって、前記サブ本体が所定の角度だけ下方に回転する状態を表す。
【図９】本発明の第２実施形態に適用したスイッチユニットを表す拡大図であって、前記サブ本体が直立位置になるように回転する状態を表す拡大図である。
【図１０】本発明の第３実施形態に係る帽子取付型発光具を表す斜視図である。
【図１１】本発明の第３実施形態に係る帽子取付型発光具の底部分解斜視図である。
【図１２】バッテリーカバーから切り離された状態の本発明の第３実施形態に係る発光具を表す側面図である
【図１３】バッテリーカバーから切り離された状態の本発明の第３実施形態に係る発光具を表す側面図である。
【図１４】本発明の第４実施形態に係る帽子取付型発光具を表す斜視図である。
【図１５】本発明の第４実施形態に係る帽子取付型発光具の底部分解斜視図である。
【図１６】本発明の第４実施形態に係るバッテリーカバーの組立工程図であり、発光具のオン・オフ工程を表す側面図である。
【図１７】本発明の第４実施形態に係るバッテリーカバーの組立工程図であり、発光具のオン・オフ工程を表す側面図である。
【図１８】本発明の第４実施形態に係るバッテリーカバーの組立工程図であり、発光具のオン・オフ工程を表す側面図である。
【発明を実施するための形態】
【００２１】
以下に、本発明の好適な実施形態を添付図面を参照して詳細に説明する。
【００２２】
（第１実施形態）
図２は本発明の第１実施形態に係る帽子取付型発光具を表す斜視図であり、図３は本発明の第１実施形態に係る帽子取付型発光具を表す平面図であり、図４は本発明の第１実施形態に係る帽子取付型発光具を表す側面図である。
【００２３】
図２〜図４に示すように、本発明の第１実施形態に係る帽子取付型発光具Ａ１は、複数の第２ランプ２２をその前面に有するケース２と、前記ケース２の外面に取り付けられる電源スイッチ２３と、前記ケース２の内部に取り付けられて電源を供給するバッテリーと、前記ケース２の中心に形成されるガイド溝２０と、前記ケース２の上面に形成される取付クリップ２６と、第１ランプ２４をその前面に有し、前記ガイド溝２０に連結して前後移動または回転するサブ本体４と、前記第１ランプ２４のオン・オフ動作を制御するスイッチユニットと、を含む。
【００２４】
以下、前記発光具Ａ１の要素をより詳細に説明する。
【００２５】
図２に示すように、前記ケース２は、前記ケース２の上面に形成される前記クリップ２６と、前記ケース２の前方中間部に形成され、所定の長さだけ前記ケース２の内部に向かって延出する前記ガイド溝２０と、前記ケース２の前面で前記ガイド溝２０の両側に形成される前記第２ランプ２２と、前記ケース２の内部に装着されて電源を供給する前記バッテリーと、前記ケース２の外面に形成される前記電源スイッチ２３と、を有する。
【００２６】
前記ガイド溝２０は前記ケース２の中間部を前記ケース２の内部に向かってスリットすることで形成され、レール溝２０２が、前記ガイド溝２０の両側内部に沿って縦方向に形成されている。
【００２７】
便宜上、図では、前記ガイド溝２０を外側から見られるように例示するが、好ましくは、カバー表面は前記ケース２の上面と同じ平面で前記ガイド溝２０の上部に形成する。
【００２８】
前記サブ本体４は、その前面に形成される前記第１ランプ２４を有し、前記サブ本体４が前記ガイド溝２０に挿入された状態で前後に摺動したりまたは回転する。
【００２９】
前記サブ本体４の前方移動は前記サブ本体４が前記ケース２から引き出されることを意味し、前記サブ本体４の後方移動は前記サブ本体４が前記ケース２に挿入されることを意味する。
【００３０】
前記サブ本体４の前後への摺動動作を可能にする構造例によれば、図３及び図４に示すように、前記レール溝２０２は前記ガイド溝２０の側面に形成され、突出部４５は、それが前記レール溝２０２に連結された状態で前記サブ本体４を前後に摺動させるように前記サブ本体４に形成される。
【００３１】
他の実施形態によれば、前記ケース２の上面と下面から延出するカバー表面が、前記サブ本体４を前記ケース２に挿入させるように形成されている。この場合、前記レール溝２０２を、前記ガイド溝２０の側面以外の前記カバー表面に形成することもでき、前記レール溝２０２に対応する前記突出部４５は、前記サブ本体４の上面と下面に形成されるが、前後移動構造の様々な変更形態をなし得ることは、当業者にとっては明確である。
【００３２】
以下、前記サブ本体４を回転させる構造を説明する。
【００３３】
前記スイッチユニットは、前記第１ランプ２４を、前記サブ本体４の前方移動時にオンにし、前記サブ本体４の後方移動時にオフにすることができる。
【００３４】
例として図３及び図４に示すように、前記スイッチユニットは、前記レール溝２０２の前側に取り付けられる第１接点２０５と、前記サブ本体４の突出部４５の外周に形成される第２接点２０６と、を含む。
【００３５】
つまり、前記サブ本体４が前方移動すると、前記第２接点２０６は前記第１接点２０５に接触するので、電源が供給され、それによって前記第１ランプ２４はオンになる。加えて、前記サブ本体４が後方移動すると、前記第２接点２０６は前記第１接点２０５から切り離されるので、前記第１ランプ２４はオフになる。
【００３６】
これに対し、前記スイッチユニットは、前記第１ランプ２４が前記サブ本体４の前方移動時にオフになり、前記サブ本体４の後方移動時にオンになるように設定できる。つまり、前記第１接点２０５は、前記サブ本体４が後方移動すると前記第１接点２０５と前記第２接点２０６とが互いに接触し、前記第１ランプ２４がオンになるように前記レール溝２０２の後側に取り付けてもよい。さもなければ、前記接点は、前記サブ本体４の後側と前記ガイド溝２０に対応して取り付けてもよい。
【００３７】
なお、前記サブ本体４には回転部２７が設けられており、前記サブ本体４が前記回転部２７により回転して前記サブ本体４の角度を調整するようになっている。
【００３８】
つまり、前記サブ本体４の前方移動または後方移動時に前記第１ランプ２４がオンになっている状態では、前記サブ本体４が下方に回転して下方に光を照射するので、使用者は近距離内にある物体を容易に見ることができる。
【００３９】
例として図２及び図４に示すように、前記回転部２７は、前記サブ本体４の後側に形成される第１ギア２７１と、前記第１ギア２７１に係合する第２ギア２７２と、を含む。
【００４０】
なお、前記サブ本体４は、前記サブ本体４の前進状態を維持するように構成された固定部材２７２０をさらに含む。
【００４１】
図３に示すように、前記固定部材２７２０は、前記第２ギア２７２及び凹部２０２４に形成される突出部材を含み、かかる前記第２ギア２７２及び凹部２０２４は前記突出部材に対応する前記ガイド溝２０の前方両側に形成される。
【００４２】
好ましくは、前記凹部２０２４は前記レール溝２０２の内部に形成される。
【００４３】
より詳細には、前記突出部材は、前記第２ギア２７２の両側に形成された軸棒の端部に埋設される鉄球２７２１と、前記鉄球２７２１を弾性的に支持するように取り付けられるバネ２７２２と、を含む。
【００４４】
よって、前記サブ本体４が前方移動する場合、前記第２ギア２７２は前記サブ本体４と連携して前方移動し、前記突出部材は前記凹部２０２４に挿入されるので、前記サブ本体４は前進状態で固定される。
【００４５】
加えて、他の実施形態に係る固定部材２７２０では、前記サブ本体４が後方移動する状態で固定力が作用するように、前記凹部２０２４を前記ガイド溝２０の後方両側に追加的に設けることができる。
【００４６】
しかしながら、前記固定部材２７２０の突出部材及び凹部２０２４の位置は、本実施形態で説明したように、前記第２ギア２７２及び前記レール溝２０２の両側に限定されるものではなく、設計者の意向に応じて変更することができる。
【００４７】
なお、前記回転部２７は、前記第１ランプ２４の輝度を前記サブ本体４の回転角度に応じて調整できるように、輝度調整部材（図示せず）をさらに含む。
【００４８】
好ましくは、前記輝度調整部材は、前記第１ランプ２４が前記サブ本体４の下方への回転時に低輝度を有し、前記サブ本体４の上方への回転時に高輝度を有することを許容する。
【００４９】
つまり、前記サブ本体４が近距離を照射するために下方に回転する際、高輝度は不要である。また、前記サブ本体４が長距離を照射するために上方に回転する際には、長距離照射での使用者の眼の疲労を軽減するように高輝度を必要とする。
【００５０】
前記輝度調整部材は当技術分野で公知されていることから、その詳細な説明を省略するが、前記輝度調整は前記回転部２７を多接点構造を設けて製作することで達成でき、その機構詳細については第２実施形態で説明する。
【００５１】
加えて、前記第１ランプ２４には前記第２ランプ２２よりも輝度が高い高輝度ＬＥＤを使用する。よって、かかるランプは周囲状況に応じて選択的に使用される。
【００５２】
なお、前記バッテリーの放電に対応するため、補助バッテリーが前記サブ本体４内に収容されるか、または補助スイッチが前記サブ本体４に取り付けられている。さもなければ、前記第１ランプ２４用の補助バッテリーは前記ケース２内に収容される。
【００５３】
よって、前記バッテリー放電のために前記第２ランプ２２がオンにならないときでさえも、前記サブ本体４の第１ランプ２４は前記補助バッテリーによって光を射出することができる。
【００５４】
以下、上記の発光具Ａ１の連結構造と動作を説明する。
【００５５】
前記サブ本体４は、前記突出部４５が前記レール溝２０２内に連結されるように前記ケース２のガイド溝２０に挿入される。
【００５６】
次いで、前記バッテリーは前記ケース２内に取り付けられる。
【００５７】
上記のように連結された前記発光具Ａ１は、クリップ２６を用いて前記帽子のひさしに連結される。
【００５８】
次いで、前記電源スイッチ２３がオンに切り替えられると、前記第２ランプ２２はオンになるが、前記第１ランプ２４はオフになる。
【００５９】
前記サブ本体４が前方移動して前記第１ランプ２４をオンにすると、前記第１，第２接点２０５，２０６が互いに接触するので、前記第１ランプ２４はオンになる。
【００６０】
さもなければ、上記のように、前記発光具Ａ１は、前記サブ本体４が後方移動すると前記第１ランプ２４がオンになるように製作される。かかるオン・オフ動作は、前記発光具Ａ１使用者の意向に応じて選択的に適用され、バッテリー寿命はかかる動作を通じて延ばすことができる。
【００６１】
次いで、前記サブ本体４は使用者によって回転されて適切な照射角度を設定する。
【００６２】
この場合、前記サブ本体４が下方に回転すると、前記第１ランプ２４の輝度を低下させ、前記サブ本体４が上方に回転されると、前記第１ランプ２４の輝度を増加させる。
【００６３】
前記発光具Ａ１は、上記の動作とは反対に、使用者の意向に応じて動作することも、一定の輝度で動作することもできる。
【００６４】
その結果、前記発光具Ａ１をポケットに入れて持ち運ぶ際に前記電源スイッチ２３が偶発的にオンになる場合でも、前記第２ランプ２２はオンになるが、前記第１ランプ２４はオフになる。よって、バッテリーの放電が遅延され、使用者はバッテリーが完全放電する前にバッテリー残量を確認することができる。
【００６５】
よって、前記バッテリーの完全放電が防止されるので、前記発光具Ａ１の照明機能は維持される。特に、前記サブ本体４用の補助バッテリーが前記発光具Ａ１内に提供されるので、前記第２ランプ２２の輝度が低下する場合でも、前記第１ランプ２４の機能を維持することができ、それによってその照明機能を確保する。
【００６６】
（第２実施形態）
なお、図５は本発明の第２実施形態に係る帽子取付型発光具Ａ２を表す分解図である。
【００６７】
図６〜図９は本発明の第２実施形態で使用されるスイッチユニットを表す拡大図であり、図６は前記サブ本体が後方移動する状態を表す拡大図であり、図７は前記サブ本体が前方移動する状態を表す拡大図であり、図８は前記サブ本体が所定の角度だけ下方に回転する状態を表す拡大図であり、図９は前記サブ本体が直立位置になるように回転する状態を表す拡大図である。
【００６８】
図５〜図９に示すように、前記第２実施形態に係るスイッチユニットは、バッテリー１００に電気的に接続された主電極板５００に形成される正端子５１及び第１〜第３負端子５２〜５４と、前記サブ本体４に形成され、前記正端子５１及び前記第１〜第３負端子５２〜５４にそれぞれ接触する負極板７１及び第１〜第３正極板７２〜７４と、を含む。
【００６９】
前記正端子５１及び前記第１〜第３負端子５２〜５４は、前記サブ本体４の外面によって支持されるように前記バッテリー１００に接続されている前記主電極板５００に片持ち梁式に形成される。
【００７０】
前記負極板７１及び前記第１〜第３正極板７２〜７４は帯状をなし、好ましくは、前記負極板７１は、前記第１〜第３正極板７２〜７４の長さよりも長い長さで前記サブ本体４の後側に形成される。
【００７１】
特に、前記負極板７１は前記正端子５１に対応する形状を有し、前記第１〜第３正極板７２〜７４は前記第１〜第３負端子５２〜５４に対応する形状を有する。
【００７２】
よって、前記サブ本体４が前方に引っ張られると、前記負極板７１は前記正端子５１に接触し、前記第１正極板７２は前記第１負端子５２に接触して電源を供給するので、前記第１ランプ２４はオンになる。
【００７３】
逆に、前記サブ本体４が後方に移動すると、前記負極板７１及び前記第１正極板７２は前記正端子５１及び前記第１負端子５２からそれぞれ切り離されるので、前記第１ランプ２４はオフになる。
【００７４】
なお、図６〜図９に示すように、他の実施形態に係る回転部は、前記サブ本体４の後側に形成される溝と、前記溝に挿入される弾性突起５０とを含む。
【００７５】
前記溝は、前記サブ本体４の後方端部に形成されて回転角度を設定する第１溝４１、第２溝４２，第３溝４３、を含む。
【００７６】
前記弾性突起５０は、固定用溝４０及び前記第１〜第３溝４１〜４３に挿入されて前記回転部の位置を固定する。
【００７７】
円弧状を有する湾曲面部が前記サブ本体４の後方端部に形成されている。
【００７８】
図８に示すように、前記第１溝４１は、前記第２，第３負端子５３，５４に対応する前記サブ本体４の後側で前記サブ本体４の上部水平面に形成される。
【００７９】
図８に示すように、前記弾性突起５０を前記固定用溝に挿入させて前記サブ本体４の後方移動状態を維持するように、複数の固定用溝４０が前記第１溝４１の前側に形成されている。
【００８０】
前記固定用溝４０は前記正端子５１及び前記第１〜第３負端子５２〜５４に対応する位置に形成される。
【００８１】
図９に示すように、前記第２溝４２は、前記サブ本体４の上部水平面部と後方湾曲面部が互いに接続される部分に形成される。特に、前記第２溝４２は前記第１，第３負端子５２，５４に対応する位置に形成される。
【００８２】
図９に示すように、前記第３溝４３は、前記第１，第２負端子５２，５３に対応する位置で前記後方湾曲面部の中心に形成される。
【００８３】
本実施形態に係る弾性突起５０は、前記正端子５１と前記第１〜第３負端子５２〜５４の端部を下方に折り曲げることによって形成される。
【００８４】
しかしながら、前記弾性突起５０の構造は本実施形態に限定されるものではなく、他の実施形態によれば、前記弾性突起５０及び前記溝４０〜４３を前記ガイド溝２０内に追加的に形成することができる。
【００８５】
以下、前記サブ本体４の動作を説明する。
【００８６】
図６に示すように、前記サブ本体４が後方移動する場合、前記正端子５１及び前記第１〜第３負端子５２〜５４の弾性突起５０は前記固定用溝４０内に固定的に挿入され、この時点で、前記第１ランプ２４はオフ状態を示す。
【００８７】
次いで、図７に示すように、前記第２，第３負端子５３，５４の弾性突起５０が前記第１溝４１内に固定的に挿入されるように、前記サブ本体４は前方移動する。
【００８８】
従って、前記正端子５１は前記負極板７１に接触し、前記第１負端子５２は前記第１正極板７２に接触して前記第１ランプ２４に電源を供給するので、前記第１ランプ２４はオンになる。
【００８９】
図８に示すように、前記サブ本体４が所定の角度だけ下方に回転すると、前記第１負端子５２及び前記第３負端子５４の弾性突起５０は前記第２溝４２内に挿入され、それによって前記サブ本体４の回転状態を停止させる。
【００９０】
この状態では、前記正端子５１は依然として前記負極板７１に接触しており、前記第２負端子５３は前記第２正極板７３に接触して前記第１ランプ２４に電源を供給し、それによって前記第１ランプ２４はオンになる。
【００９１】
次いで、図９に示すように、前記サブ本体４はさらに回転して直立状態を形成するので、前記第１，第２負端子５２，５３の弾性突起５０は前記第３溝４３内に固定的に挿入される。
【００９２】
この時点で、前記正端子５１は依然として前記負極板７１に接触しており、前記第３負端子５４は前記第３正極板７４に接触して前記第１ランプ２４に電源を供給するので、前記第１ランプ２４はオンになる。
【００９３】
前記サブ本体４に形成される溝数とかかる溝の設定角度は実施形態に応じて変えることができる。
【００９４】
前記第２実施形態に係る第１ランプ２４の輝度は、前記第１実施形態と同様に、前記サブ本体４の回転角度に対応して変えることができ、かかる輝度はマルチポイント構造を採用することで調整することができる。
【００９５】
より詳細には、上記のように、複数の端子及び電極板がが前記サブ本体４に設けられているので、複数の接点が前記発光具Ａ２に取り付けられたプリント配線基板（図示せず）に接続するようになっている。この場合、前記プリント配線基板の回路は、様々に異なる量の電流を前記接点にそれぞれ流すことができるように設計することができる。かくして、前記サブ本体４の回転に起因する前記接点の前記回路に対する接続状態に応じて前記輝度を変えることができる。
【００９６】
好ましくは、図６に示すように、前記サブ本体４が水平に引き出される場合、前記第１ランプ２４は最高輝度を示す。
【００９７】
図７に示すように、前記サブ本体４が傾斜して回転する場合、前記第１ランプ２４は比較的に低い強度で光を照射する。
【００９８】
図８に示すように、前記サブ本体４が直立状態で回転する場合、前記第１ランプ２４は最低の強度で光を照射する。
【００９９】
上記実施形態は例示目的のみであり、本発明はそれらに限定されるものではなく、前記輝度の調整形式は様々に変更することができる。
【０１００】
（第３実施形態）
図１０は本発明の第３実施形態に係る帽子取付型発光具を表す斜視図であり、図１１は本発明の第３実施形態に係る帽子取付型発光具の底部分解斜視図であり、図１２及び図１３はバッテリーカバーから切り離された状態の本発明の第３実施形態に係る発光具を表す側面図である。
【０１０１】
図１０〜図１１に示すように、本発明の第３実施形態に係る帽子取付型発光具Ａ３はケース２ａとサブ本体４ａを含む。前記ケース２ａは、前記ケース２ａの前側に形成され、第２ランプ４２ａを備える固定照明部５ａと、前記ケース２ａの外面に形成される電源スイッチ２５ａと、前記ケース２ａの後側に形成されて電源を供給する電源供給部と、前記ケース２ａの外面に形成される取付クリップ２６ａと、を有し、ここで、前記サブ本体４ａは、第１ランプ４１ａを備え、前記固定照明部５ａの側面に連結される。また、前記サブ本体４ａは前後に移動して前記第１ランプ４１ａをオンオフするとともに、回転される。
【０１０２】
前記電源スイッチ２５ａは、前記ケース２ａの下部に取り付けられて前記固定照明部５ａのオン・オフ動作を制御する。
【０１０３】
前記第１，第２ランプ４１ａ及び４２ａはＬＥＤを含み、互いに異なる輝度を有することもできる。
【０１０４】
前記サブ本体４ａは回転部とともにその側面に形成されるので、前記サブ本体４ａの角度が調整できるようになっている。前記回転部は、前記ケース２ａ内に形成されたガイド溝３ａと、前記サブ本体４ａの側面に形成され、前記サブ本体４ａが回転されるように前記ガイド溝３ａに連結される突出部４０ａと、を含む。
【０１０５】
前記ガイド溝３ａは、所定の長さを有する水平部３０ａと、前記水平部３０ａに接続し、円弧状に湾曲した湾曲状部３６ａと、を含み、凹部３５ａが前記水平部３０ａの下部にさらに形成されているので、前記突出部４０ａは前記凹部３５ａで係止される。
【０１０６】
加えて、前記突出部４０ａに接触する複数のスタッドが前記ガイド溝３ａ内に形成されているので、前記サブ本体４ａを様々な角度位置で固定できるようになっている。本実施形態によれば、３つのスタッドが設けられる。便宜上、前記３つのスタッドはそれぞれ第１〜第３スタッド３１ａ〜３３ａと呼ぶ。
【０１０７】
前記第１スタッド３１ａは、前記水平部３０ａに形成されて前記突出部４０ａが凹部３５ａから引き出された状態を維持し、次いで前記水平部３０ａに沿って移動する。前記第２スタッド３２ａは、前記湾曲状部３６ａの中間部に形成されて前記突出部４０ａが約４５度だけ下方に回転する状態を維持し、前記第３スタッド３３ａは、前記湾曲状部３６ａの端部に形成されて前記突出部４０ａが９０度だけ回転する状態を維持する。
【０１０８】
複数のリング状凹凸部分４５ａが前記サブ本体４ａの外面に形成されている。そのため、使用者は前記サブ本体４ａを容易に係合することができるので、前記サブ本体４ａを容易に挿入・回転することができる。
【０１０９】
加えて、円弧状を有する操作ノッチ４３ａが前記サブ本体４ａの後方端部に形成されているので、使用者はその爪先を前記操作ノッチに容易に入れられる。
【０１１０】
よって、本発明に係る発光具が前記クリップ２６ａを取り付けることで帽子に取り付けられている状態で、使用者は、その親指の爪を前記操作ノッチ４３ａに係合して前記サブ本体４ａを押すことにより、前記サブ本体４ａを容易に前方移動することができる。加えて、使用者は前記サブ本体４ａの回転角度を、リング状凹凸部分４５ａを用いて前記サブ本体４ａを回転させることで容易に調整することができる。
【０１１１】
前記第１実施形態と同様に、前記第３実施形態に係る発光具Ａ３は、前記第１ランプ４１ａの輝度が前記サブ本体４ａの回転角度に応じて調整されるように、輝度調整部材をさらに含む。
【０１１２】
前記輝度調整部材は、前記サブ本体４ａが下方に回転すると前記第１ランプ４１ａの輝度を低下させ、前記サブ本体４ａが上方に回転される場合に前記第１ランプ４１ａの輝度を増加させるように製作される。
【０１１３】
つまり、前記サブ本体４ａは近距離を照射するために下方に回転するので、高輝度は不要である。また、前記サブ本体４ａは長距離を照射するために上方に回転されるので、長距離照射での使用者の眼の疲労を軽減するように高輝度が必要である。
【０１１４】
前記発光具Ａ３は、上記の動作とは反対に、使用者の意向に応じて動作させることができる。
【０１１５】
前記サブ本体４ａに形成される前記輝度調整部材及びスイッチユニットについては前記第２実施形態を介して既に説明したので、冗長性を回避するためにその説明は省略する。
【０１１６】
図１１〜図１３に示すように、前記電源供給部は、前記ケース２ａの内部後側に形成されるバッテリー収容部２２ａと、前記バッテリー収容部２２ａに連結し、前記バッテリー収容部２２ａを完全に切り離すことなしにバッテリーｂを交換できるような方式で前記収容部２２ａを開閉するカバー２３ａと、を含む。
【０１１７】
前記バッテリー収容部２２ａは、前記バッテリー収容部２２ａの内側上部及び内側下部に形成され、前記バッテリーｂにそれぞれ接触する正と負の接触端子と、前記カバー２３ａを前記バッテリー収容部２２ａの両側に連結するように形成される接合スロット２２１と、を含む。
【０１１８】
前記カバー２３ａは板状を有し、バッテリー収容部２２ａを覆うのに十分な面積を有する。先端突出部２３３ａを有するリード部２３２ａが、所定の長さで前記カバー２３ａの前方両端に形成されている。前記リード部２３２ａの先端突出部２３３ａは前記接合スロット２２１ａに挿入されて内向きに摺動するので、前記カバー２３ａが前記ケース２ａに連結するようになっている。加えて、図１２に示すように、前記カバー２３ａが前記接合スロット２２１ａの長さに対応する距離だけ後方に引っ張られ、次いで前記先端突出部２３３ａの周りを下方に回転される場合、それによって前記バッテリーｂが切り離されるように空間を形成する。
【０１１９】
さらに、図１３に示すように、前記カバー２３ａが下方に回転すると、前記バッテリー収容部２２ａ内に収容される端部を有する前記バッテリーｂの前側は、前記バッテリーｂの後側が引き上げられるように押されるので、前記バッテリーｂは使用者の指で容易に保持される。その結果、前記バッテリーｂを前記バッテリー収容部２２ａから容易に切り離すことができる。
【０１２０】
つまり、図１１に示すように、前記ケース２ａは、前記バッテリー収容部２２ａの前方端部との連通時に突出する半円形の隆起部分２１ａを有する。前記隆起部分２１ａに挿入される半円形突出部２３４ａが前記カバー２３ａの前側中間部に形成されているので、前記カバー２３ａの後方端部が下方に回転すると、前記半円形突出部２３４ａは前記カバー２３ａとともに回転し、前記バッテリーｂの前方端部を押圧する。
【０１２１】
（第４実施形態）
図１４は本発明の第４実施形態に係る帽子取付型発光具を表す斜視図であり、図１５は本発明の第４実施形態に係る帽子取付型発光具の底部分解斜視図であり、図１６と図１８とはそれぞれ、本発明の第４実施形態に係る発光具のバッテリーカバーの組立工程と、オン・オフ工程とを表す側面図である。
【０１２２】
図１４及び図１５に示すように、本発明の第４実施形態に係る発光具Ａ４はケース２ｂとサブ本体４ｂを含み、前記ケース２ｂは、前記ケース２ｂの前側に形成され、サブ本体４ｂがそれにヒンジ連結する連結部２９ｂと、前記ケース２ｂの後側に形成されて電源を供給する電源供給部Ｘと、前記ケース２ｂの外面に形成される取付クリップ２６ｂと、を有し、ここで、前記サブ本体４ｂは前記サブ本体４ｂに装着される少なくとも１つの第１ランプ４１ｂを有し、前記連結部２９ｂに回転可能にヒンジ連結する。前記電源供給部Ｘは、開口部を有する上部を備えるバッテリー収容部２２ｂと、前記バッテリー収容部２２ｂの開口部に連結し、オン・オフ機能を実行するように回転されるバッテリーカバー２３ｂと、を含む。
【０１２３】
図１５に示すように、前記サブ本体４ｂは前記ケース２ｂの連結部２９ｂに連結され、前記サブ本体４ｂの後側は、前記サブ本体４ｂが前記ケース２ｂにヒンジ連結するように前記連結部２９ｂに形成されるヒンジシャフト軸ピン２２ｂに連結される。
【０１２４】
図１４に示すように、前記サブ本体４ｂは、使用者が前記サブ本体４ｂを容易に係合することができるようにその外面に形成される突起４３ｂを有し、端子４４ｂは、前記端子４４ｂが摩擦を生じながら前記ケース２ｂの連結部２９ｂの内面に接触するように前記サブ本体４ｂの上部後側から突出する。
【０１２５】
前記端子４４ｂは円弧状に折り曲げられ、それを通過する相互接続を許容する中空部を有し、平坦部が、前記端子４４ｂの外側中間部に形成されて回転角度４５度で前記サブ本体４ｂを維持している。
【０１２６】
複数のガイド突起２９２ｂが、前記ケース２ｂの連結部２９ｂの内面に沿って縦方向に形成されているので、前記ガイド突起２９２ｂは摩擦を生じながら前記外面前記端子４４ｂ及び前記平坦部に接触する。
【０１２７】
よって、前記サブ本体４ｂが回転される場合、前記端子４４ｂは、前記ケース２ｂの連結部２９ｂのガイド突起２９２ｂに対して摩擦を生じながら回転する。その摩擦力は前記サブ本体４ｂの緩みを防止し、適切な力を維持しながら前記サブ本体４ｂの回転を許容する。加えて、前記平坦部が前記連結部２９ｂの内面に接触するので、前記サブ本体４ｂは４５度の角度を維持する。
【０１２８】
前記ケース２ｂの連結部２９ｂの内面に形成される前記ガイド突起２９２ｂは薄板状を有する前記連結部２９ｂを補強する。加えて、前記ガイド突起２９２ｂは、前記ガイド突起２９２ｂが前記サブ本体４ｂの端子４４ｂに接触する際に定義される接触面積を低減させ、それによって前記サブ本体４ｂと前記ケース２ｂ間の摩擦を低減する。従って、前記発光具の寿命を延ばすことができる。
【０１２９】
つまり、ガイド突起がない場合、前記サブ本体４ｂの端子４４ｂが前記ケース２ｂの連結部２９ｂの内面に直接接触するので、前記連結部２９ｂの内面は頻繁な回転動作のために損傷する。前記端子４４ｂの外面が摩耗すると、前記サブ本体４の回転角度ｂを調整することができなくなるので、前記発光具を廃棄しなければならない。
【０１３０】
かかる問題点を解決するために、本発明によれば前記ガイド突起２９２ｂがさらに形成されるので、そのために前記発光具の寿命を延ばすことができる。
【０１３１】
複数の直線溝４２ｂが前記サブ本体４ｂの下面に沿って縦方向に形成され、それによって所望の視野を確保する。
【０１３２】
なお、図１５に示すように、前記バッテリー収容部２２ｂは円形をなし、前記バッテリー収容部２２ｂの内周に形成される連結溝２２１ｂと、前記連結溝２２１ｂに連通すると同時に前記連結溝２２１ｂに対して垂直方向に形成される挿入溝２２２ｂと、前記バッテリー収容部２２ｂの下部に形成される負の接触端子２２３ｂと、前記バッテリー収容部２２ｂの内周に形成される正の接触端子２２４ｂと、を含む。
【０１３３】
前記バッテリーカバー２３ｂは、前記バッテリーの陽極に接触する電気接触部材５ｂとともに内面中心に設けられる。前記バッテリーカバー２３ｂは、複数の電気接触部分５２ｂと、前記正の接触端子２２４ｂに接触する電流端子５４ｂと、を含む。前記バッテリーカバー２３ｂは、前記挿入溝２２２ｂに挿入される係止突起２３２ｂとともに、その外周に設けられる。円弧状を有する係止部材２３３ｂが前記バッテリーカバー２３ｂの外周に形成されており、前記係止突起２３２ｂは前記バッテリー収容部２２ｂの挿入溝２２２ｂに挿入され、前記係止部材２３３ｂは前記連結溝２２１ｂの内周に接触する。
【０１３４】
よって、前記係止突起２３２ｂは前記バッテリー収容部２２ｂの挿入溝２２２ｂに挿入され、次いで、前記バッテリーカバー２３ｂは９０度だけ反時計回りに回転されるので、前記係止突起２３２ｂ及び前記係止部材２３３ｂは前記連結溝２２１ｂに沿って移動しながら回転し、係止状態となる。
【０１３５】
２つの係止突起２３２ｂは互いに対向するが、互いに１８０度の角度の間隔で配置される。
【０１３６】
中央突出軸２３４ｂが、前記電気接触部材を前記中央突出軸２３４ｂに挿入するように、前記バッテリーカバー２３ｂの内面中心に形成されており、補助突出軸２３５ｂが前記中央突出軸２３４ｂの側面にさらに形成されており、前記中央突出軸２３４ｂの挿入される中央孔５５ｂが、前記電気接触部材５ｂの中心に形成されており、前記補助突出部孔２３５ｂの挿入される補助挿入孔５６ｂが前記中央孔５５ｂの側面に形成されている。
【０１３７】
よって、前記中央突出軸２３４ｂが前記電気接触部材の中央孔５５ｂに挿入される場合、及び前記補助突出軸２３５ｂが前記補助挿入孔５６ｂに挿入される場合には、前記電気接触部材５ｂの回転または分離は防止されるので、前記電気接触部材５ｂがしっかりと固定される。
【０１３８】
図１６に示すように、ハンドル２３６ｂが前記バッテリーカバー２３ｂの外面から突出しており、それによって使用者は前記発光具を容易に操作することができる。前記ハンドル２３６ｂは、中心部から前記バッターカバー２３ｂの周縁にかけて広がり、前記バッテリーカバー２３ｂの外径を超えて延出すると同時に前記バッテリーカバー２３ｂから上方に突出する扇状を有する。
【０１３９】
係合突出部２３７ｂが、前記ハンドル２３６ｂに対向して前記バッテリーカバー２３ｂの外面から突出しており、使用者の親指が前記ハンドル２３６ｂに係合する状態では、使用者の人差し指が前記係合突出部２３７ｂに係合し、それによって使用者は容易に前記発光具を操作することができる。
【０１４０】
以下、前記バッテリーカバーの連結工程と電源のオン・オフ動作を図１６〜図１８を参照して説明する。
【０１４１】
図１６に示すように、前記バッテリー収容部２２ｂは、前記バッテリーカバー２３ｂを前記バッテリー収容部２２ｂに嵌装することによって前記バッテリーカバー２３ｂで覆われる。この状態を０度として参照する。この時点で、前記係止突起２３２ｂは前記挿入溝２２２ｂに挿入される。
【０１４２】
次いで、図１７に示すように、前記バッテリーカバー２３ｂは９０度だけ反時計回りに回転され、係止状態となる。つまり、前記バッテリーカバー２３ｂの係止突起２３２ｂと係止部材２３３ｂは前記バッテリー収容部２２ｂの連結溝２２１ｂに沿って移動し、係止状態となる。
【０１４３】
図１８に示すように、前記バッテリーカバー２３ｂが４５度だけ時計回りに回転されるとき、前記電流端子５４ｂは前記正の接触端子２２４ｂに接触する。その結果、電流が流れ、電源がオンになる。
【０１４４】
つまり、前記バッテリーカバー２３ｂが前記バッテリー収容部２２ｂに連結されてから、前記バッテリーカバー２３ｂが約１３５度回転される場合、電源はオンになる。
【０１４５】
次いで、前記バッテリーカバー２３ｂが４５度だけ逆回転する場合、前記電流端子５４ｂは前記正の接触端子２２４ｂから切り離されるので、前記電源はオフになり、係止状態は解除される。
【０１４６】
本発明の第４実施形態によれば、前記電源スイッチが追加的に形成される場合でも、前記バッテリーカバー２３ｂはスイッチとしての役割を果たし、前記発光具の小型で軽量の構造を実現する。
【０１４７】
上記のように、本発明によれば、前記第１ランプが独立にオンになるように、使用者は第１ランプを備えるサブ本体を前後に移動させることで照射光の距離と照射光の光量を調整することができる。加えて、使用者がその頭部を動かすことなしに前記照射角度を調整することができるように前記サブ本体は回転可能であり、ケースに対して直角に前記サブ本体を配設することにより、前記発光具はポケットに固定されて光を前方向に照射する。
【０１４８】
加えて、前記発光具を緊急信号の送信に使用することもでき、歩行者の足元を照射して歩行安全性を提供することもできる。
【０１４９】
加えて、使用者がバッテリー消費量を調整できるように追加スイッチユニットが第１ランプに設けられている。
【０１５０】
本発明を、実施形態のいくつかを示して説明したが、請求項及びそれらの等価物においてその範囲を定義した本発明の原理及び真の趣旨から逸脱することなく本実施形態を変更を行い得ることは当業者であれば理解されよう。
（産業上の利用の可能性）
【０１５１】
本発明は帽子取付型発光具に関する。
【図１】
0005431366.tif 000002
【図２】
0005431366.tif 000003
【図３】
0005431366.tif 000004
【図４】
0005431366.tif 000005
【図５】
0005431366.tif 000006
【図６】
0005431366.tif 000007
【図７】
0005431366.tif 000008
【図８】
0005431366.tif 000009
【図９】
0005431366.tif 000010
【図１０】
0005431366.tif 000011
【図１１】
0005431366.tif 000012
【図１２】
0005431366.tif 000013
【図１３】
0005431366.tif 000014
【図１４】
0005431366.tif 000015
【図１５】
0005431366.tif 000016
【図１６】
0005431366.tif 000017
【図１７】
0005431366.tif 000018
【図１８】
0005431366.tif 000019